(57)【要約】【課題】  複数の映像記録装置と携帯端末を同時に使用する場合等に、意図しない映像記録装置を誤動作させることのない防犯情報管理システム及び携帯端末を提供する。【解決手段】  防犯を必要とする場所に取り付けられ、この防犯場所の映像を撮影する防犯カメラ２と、この防犯カメラ２によって撮影される映像情報が記録される映像記録装置３と、この映像記録装置３を操作する携帯端末５とを備え、映像記録装置３と携帯端末５とが互いに識別情報を保持し、この識別情報を照合することで、複数の映像記録装置３及び携帯端末５を使用可能とする。【選択図】      図１
2005216069.tif 000002
【特許請求の範囲】
【請求項１】
防犯を必要とする場所に取り付けられ、この防犯場所の映像を撮影する防犯カメラと、
前記防犯場所と隔離された箇所に設置され、前記防犯カメラによって撮影される映像情報を受信し、記録する映像記録装置と、
前記防犯カメラと一体的に設置され、または防犯カメラから離れた個所に設置され、前記防犯カメラからからの映像情報を前記映像記録装置に送信し、また前記映像情報を前記映像記録装置に記録する際に表示される表示情報を前記映像記録装置から受信する第１の送受信部と、
前記映像記録装置に記録されている映像情報の選択および送信要求を行う操作部と、この操作部の操作に基づいて映像要求信号を前記第１の送受信部に向けて送信し、この映像要求信号に基づいて前記映像記録装置から前記第１の送受信部を介して送信されてくる映像情報を受信する第２の送受信部と、この第２の送受信部で受信された映像情報を表示する表示部と、この表示部に表示された映像情報を記憶する記憶部とを備えた携帯端末と、
を有する防犯情報管理システムであって、
前記携帯端末は、着脱自在に装填される記憶媒体を備え、前記記憶部に映像情報を記憶させるための操作部と、この操作部の操作に基づいて前記記憶部に記憶された映像情報を前記記憶媒体に記憶させる記憶手段とを備えたことを特徴とする防犯情報管理システム。
【請求項２】
請求項１に記載の防犯情報管理システムにおいて、
前記携帯端末は、前記映像記録装置の動作条件の設定、確認及び変更を行うための操作部と、
この操作部の操作に基づいて動作条件要求信号を前記第１の送受信部に向けて送信し、この動作条件要求信号のもとに前記映像記録装置から前記送受信部を介して送信されてくる動作条件情報を受信する前記第２の送受信部と、
この第２の送受信部で受信される動作条件情報を表示する前記表示部と、
この表示部に表示される動作条件情報を必要に応じて変更し、この変更された動作条件を前記第１の送受信部に向けて送信し、前記映像記録装置に設定する手段と
をさらに備えたことを特徴とする防犯情報管理システム。
【請求項３】
防犯を必要とする場所に取り付けられ、この防犯場所の映像を撮影する防犯カメラと、
前記防犯場所と隔離された箇所に設置され、前記防犯カメラによって撮影された映像情報を記録する撮影映像保存領域および前記表示情報を記録する表示用記録領域を含む記憶装置を備えた映像記録装置と、
前記防犯カメラと一体的に設置され、または防犯カメラから離れた個所に設置され、前記防犯カメラからからの映像情報を前記映像記録装置に送信し、また前記映像情報を前記映像記録装置に記録する際に表示される表示情報を前記映像記録装置から受信する第１の送受信部と、
前記防犯カメラからからの映像情報を前記映像記録装置に送信し、また前記映像情報を前記映像記録装置に記録する際に表示される前記表示情報を前記映像記録装置から受信する第１の送受信部と、
着脱自在に装填され、前記表示情報を記憶する記憶媒体と、この記憶媒体に記憶される表示情報を表示させるための操作部と、この操作部の操作に基づいて前記記憶媒体に記憶される表示情報を読出して前記第１の送受信部を介して前記映像記録装置に送信する第２の送受信部とを有する携帯端末と、
前記映像記録装置と接続可能であり、当該映像記録装置からの送られてくる映像情報を受信し、表示する映像表示装置と、
を有したことを特徴とする防犯情報管理システム。
【請求項４】
請求項１乃至３のいずれかに記載の防犯情報管理システムにおいて、
前記第１の送受信部は、前記映像表示装置の近傍または、前記映像表示装置の内部に設けることを特徴とする防犯情報管理システム。
【請求項５】
請求項１乃至３のいずれかに記載の防犯情報管理システムにおいて、
前記第１の送受信部と前記携帯端末の前記第２の送受信部との間の映像情報、表示情報、制御情報の伝送は、赤外線伝送または有線伝送を用いることを特徴とする防犯情報管理システム。
【請求項６】
請求項１乃至５のいずれかに記載の防犯情報管理システムにおいて、
前記映像記録装置は、携帯端末を特定するための識別情報を記憶しており、前記携帯端末装置から前記第１の送受信部を経由して入力される識別情報と、記憶している識別情報とを照合し、この照合が一致する正当な権限を有する携帯端末に使用許可を付与する識別手段を備えることを特徴とする防犯情報管理システム。
【請求項７】
請求項６に記載の防犯情報管理システムにおいて、
前記携帯端末が複数の前記映像記録装置に対して通信を行う場合、前記携帯端末は、通信相手となる前記映像記録装置の複数分の識別情報リストを保持しており、この識別情報リスト中のいずれかの識別情報と、映像記録装置が記憶している自身の識別情報とを照合し、この照合が一致する正当な権限を有する携帯端末に使用許可を付与する手段を設けたことを特徴とする防犯情報管理システム。
【請求項８】
請求項６または７に記載の防犯情報管理システムにおいて、
前記識別情報は、前記映像記録装置固有の製造番号、エレベータかごが持つ固有の号機番号、及びエレベータ物件が持つ建物固有の物件番号のうちのいずれかであることを特徴とする防犯情報管理システム。
【請求項９】
請求項１乃至８のいずれかに記載の防犯情報管理システムにおいて、
前記映像記録装置と前記携帯端末との通信の際に、前記携帯端末固有の識別情報を通信履歴として、前記映像記録装置に記録することを特徴とする防犯情報管理システム。
【請求項１０】
請求項１乃至８のいずれかに記載の防犯情報管理システムにおいて、
前記映像記録装置と前記携帯端末との通信の際に行った命令コマンドと日付情報を、前記携帯端末固有の識別情報と合わせて通信履歴として、前記映像記録装置に記録することを特徴とする防犯情報管理システム。
【請求項１１】
請求項１０に記載の防犯情報管理システムにおいて、
前記携帯端末固有の識別情報を前記携帯端末の製造番号としたことを特徴とする防犯情報管理システム。
【請求項１２】
防犯を必要とする場所に取り付けられ、この防犯場所の映像を撮影する防犯カメラによって撮影される映像情報が記録された映像記録装置から前記映像情報を受信して、表示、記録する携帯端末であって、
前記映像記録装置に記録されている映像情報の選択および送信要求の指示、または前記映像情報を記憶させるための操作部と、
前記防犯カメラと一体的に設置され、または防犯カメラから離れた個所に設置され、前記防犯カメラからからの映像情報を前記映像記録装置に送信し、また前記映像情報を前記映像記録装置に記録する際に表示される表示情報を前記映像記録装置から受信する第１の送受信部に対し、前記操作部の操作に基づいて映像要求信号を送信し、この映像要求信号に基づいて前記映像記録装置から前記第１の送受信部を介して送信されてくる映像情報を受信する第２の送受信部と、
この第２の送受信部で受信された映像情報を表示する表示部と、
着脱自在に装填される記憶媒体と、
前記操作部の指示に基づいて、前記表示部に表示された映像情報を記憶し、記憶された映像情報を前記記憶媒体に記憶させる記憶記憶手段と、
を備えたことを特徴とする携帯端末。
【請求項１３】
請求項１２に記載の携帯端末において、
前記操作部は、前記映像記録装置の動作条件の設定、確認及び変更を行い、前記第２の送受信部は、前記操作部の操作に基づいて動作条件要求信号を前記第１の送受信部に向けて送信し、この動作条件要求信号に従って、前記映像記録装置から前記送受信部を介して送信されてくる動作条件情報を受信し、前記表示部は、前記第２の送受信部で受信される動作条件情報を表示し、前記操作部により、前記表示部に表示される動作条件情報を必要に応じて変更され、変更された動作条件を前記第２の送受信部により前記第１の送受信部に向けて送信され、前記映像記録装置に設定されることを特徴とする携帯端末。
【請求項１４】
請求項１１または１３に記載の携帯端末において、
前記第１の送受信部と前記携帯端末の前記第２の送受信部との間の映像情報、表示情報、制御情報の伝送は、赤外線伝送または有線伝送を用いることを特徴とする携帯端末。
【請求項１５】
請求項１１乃至１４のいずれかに記載の携帯端末において、
複数の前記映像記録装置に対して通信を行う場合、通信相手となる前記映像記録装置の複数分の識別情報リストを保持しており、この識別情報リスト中のいずれかの識別情報と、映像記録装置が記憶している自身の識別情報とを照合し、この照合が一致する場合に前記映像記録装置から使用許可を与えられることを特徴とする携帯端末。
【請求項１６】
請求項１５に記載の携帯端末において、
前記識別情報は、前記映像記録装置固有の製造番号、エレベータかごが持つ固有の号機番号、及びエレベータ物件が持つ建物固有の物件番号のうちのいずれかであることを特徴とする携帯端末。
【請求項１７】
請求項１２乃至１６のいずれかに記載の携帯端末において、
前記映像記録装置との通信の際に、当該携帯端末固有の識別情報を通信履歴として、前記映像記録装置に記録することを特徴とする携帯端末。
【発明の詳細な説明】
【技術分野】
【０００１】
本発明は、防犯用カメラで記録した映像を記録、表示するシステムに係り、例えばエレベータの乗りかご等に利用される防犯情報管理システム及び携帯端末に関する。
【背景技術】
【０００２】
従来、エレベータの乗りかご内の犯罪を防止するために、かご内の適宜な個所に防犯カメラが取り付けられ、また乗りかご上部にハードディスクなどの映像記録装置が設置され、防犯カメラで撮影された映像情報を映像記録装置に記録し保存することが行われている。（例えば、非特許文献１を参照）。
【非特許文献１】東芝エレベータ  デジタル防犯カメラシステムインターネット＜URL:http://www.toshiｂa-elevator.co.jp/elv/catalog/img/camera/p06_09.pdf＞
【発明の開示】
【発明が解決しようとする課題】
【０００３】
しかしながら、以上のような構成では、映像記録装置を専用の携帯端末で操作する際に、複数の映像記録装置を一台の携帯端末で操作したい場合や、複数の映像記録装置と携帯端末を同じフロアで使用する場合等に誤って別の携帯端末で操作できないようにしたい場合等に対応することができない。
【０００４】
本発明は上記事情に鑑みてなされたもので、複数の映像記録装置と携帯端末を同時に使用する場合等に、意図しない映像記録装置を誤動作させることのない防犯情報管理システム及び携帯端末を提供することを目的とする。
【課題を解決するための手段】
【０００５】
本発明はかかる課題を解決するものであり、防犯を必要とする場所に取り付けられ、この防犯場所の映像を撮影する防犯カメラと、前記防犯場所と隔離された箇所に設置され、前記防犯カメラによって撮影される映像情報を受信し、記録する映像記録装置と、前記防犯カメラと一体的に設置され、または防犯カメラから離れた個所に設置され、前記防犯カメラからからの映像情報を前記映像記録装置に送信し、また前記映像情報を前記映像記録装置に記録する際に表示される表示情報を前記映像記録装置から受信する第１の送受信部と、前記映像記録装置に記録されている映像情報の選択および送信要求を行う表示指示用操作部と、この表示指示用操作部の操作に基づいて映像要求信号を前記第１の送受信部に向けて送信し、この映像要求信号に基づいて前記映像記録装置から前記第１の送受信部を介して送信されてくる映像情報を受信する第２の送受信部と、この第２の送受信部で受信された映像情報を表示する表示部と、この表示部に表示された映像情報を記憶する記憶部とを備えた携帯端末とを有する防犯情報管理システムであって、前記携帯端末は、着脱自在に装填される記憶媒体を備え、前記記憶部に映像情報を記憶させるための記憶指示用操作部と、この記憶指示用操作部の操作に基づいて前記記憶部に記憶された映像情報を前記記憶媒体に記憶させる記憶手段とを備えたことを特徴とする防犯情報管理システムである。
【０００６】
したがって本発明は、複数の映像記録装置と携帯端末を同時に使用する場合等に、意図しない映像記録装置を誤動作させることのない防犯情報管理システム及び携帯端末を提供することができる。
【発明の効果】
【０００７】
複数の映像記録装置と携帯端末を同時に使用する場合等に、意図しない映像記録装置を誤動作させることのない防犯情報管理システム及び携帯端末を提供することができる。
【発明を実施するための最良の形態】
【０００８】
以下図面を参照して、本発明の実施形態を説明する。
【０００９】
図１は、本発明の一実施形態に係わる防犯情報管理システムの構成を示す模式図である。この防犯情報管理システムは、防犯を必要とする場所、例えばエレベータの乗りかご１内の天井などに取り付けられる防犯カメラ２と、この防犯カメラ２で撮影された乗りかご１内の映像を記録するハードディスクレコーダなどの映像記録装置３と、この映像記録装置３に保存される映像情報及び後述する表示情報を表示する表示機（映像表示装置）４と、映像記録装置３に保存される映像情報を取り込んで表示し、また表示機４に表示したい表示情報を無線等により送受信するための第２の送受信部を備えた携帯端末５とにより構成されている。
【００１０】
防犯カメラ２は、例えば撮像管やＣＣＤ、ＣＭＯＳなどの固体撮像デバイス等の撮像素子などを用いたビデオ、デジタルの撮像カメラであって、例えばエレベータの場合には、乗降者の手の届き難いエレベータ乗りかご１内の天井に取り付けられるが、的確な映像を撮影する観点から、乗りかご１内の天井であっても、比較的ドアから離れた乗りかご１内天井の比較的奥側からドア側を望むような場所に取り付けるのが望ましく、さらには正面のドアと対持するかご内の壁面の比較的高い位置に取り付けてもよい。
【００１１】
また、防犯カメラ２は、そのまま乗りかご１内の天井に直付けする方法もあるが、外部から直接的に防犯カメラ２と判別されると防犯上好ましくないので、外側から例えば撮影上支障をきたさない材料の外装体６で防犯カメラ２を覆うことにより、自然な雰囲気の状態を保つように取り付けるのが望ましい。従って、防犯カメラ２という場合、乗りかご１内に直付けする場合だけでなく、外装体６で覆う場合も含むものであり、特に請求項の記載においては、前述する両方の場合を含む。
【００１２】
この防犯カメラ２内または外装体６内には映像送受信部（第１の送受信部）７が設けられている。この映像送受信部７は、携帯端末５からの要求に基づいて映像記録装置３に保存されている映像情報を携帯端末５に無線又は有線にて伝送し、また携帯端末５から表示機４に表示したい掲示板情報、所要とするメッセージ情報等の表示情報を例えば赤外線等を用いた無線通信にて受信し、映像記録装置３に送信する機能をもっている。なお、有線であってもよい。
【００１３】
映像送受信部７と映像記録装置３は、映像用ケーブル８ａ及び制御用ケーブル８ｂを含む通信ケーブル８で接続され、また防犯カメラ２と映像記録装置３は撮影用ケーブル９で接続されている。また、この映像送受信部７は、表示機４の近傍または、表示機４の筐体表面に赤外線ののぞき窓を設け、内部に収納して取り付けることも可能である。この場合は、映像記録装置３は、映像用ケーブル８ａ及び制御用ケーブル８ｂを含む通信ケーブル８で表示機４の近傍または、表示機４の内部に取り付けた映像送受信部７と接続する。
【００１４】
映像記録装置３は、予め設定される動作条件のもとに防犯カメラ２で撮影される映像情報を記録・保存し、保存された映像情報を再生し、携帯端末５や表示機４に表示する機能を有するものであり、具体的には図２に示すように構成されている。すなわち、映像記録装置３は、外部からの電源の供給を受け、当該映像記録装置３の各部に電源を供給する電源部３０、予め定める動作条件のもとに映像情報の記録・再生の他、携帯端末５から映像送受信部７及び制御用ケーブル８ｂを介して授受される制御信号のもとに所要の処理制御を実行するＣＰＵ等で構成される処理制御部３１、記憶装置３２、防犯カメラ２で撮影された映像を撮影用ケーブル９を経由して受け取り、静止映像に変換するエンコーダ３３、このエンコーダ３３により変換された静止映像等を後述する記憶装置３２の撮影映像保存領域３２aに保存する画像処理部３４及びデコーダ３５によって構成されている。
【００１５】
記憶装置３２は、少なくとも映像情報を保存する撮影映像保存領域３２a、携帯端末５からの表示情報を記録する表示情報保存領域３２ｂ、自身や他の機器を式滅するための識別情報を記録する識別情報保存領域３２ｃを備える。
【００１６】
なお、携帯端末５から映像記録装置３への制御信号としては、映像記録装置３の動作状態を停止したり、動作条件を変更したり、表示機４に対する表示情報（記録されている画像情報等の各種情報のうち、表示機４に表示させる情報）の選択変更を含むものである。
【００１７】
また、映像記録装置３は、自身の表示選択機能部(図示せず)により、表示情報保存領域３２ｂに保存されている静止表示情報から適宜選択し、画像処理部３４を通り、デコーダ３５でデコーディングし、表示用ケーブル１０を介して表示機４に送出する機能、携帯端末５から映像送受信部７及び映像用ケーブル８ｂを経由してくる表示情報を取り込み、処理制御部３１の保存処理に基づいて記憶装置３２の表示情報保存領域３２ｂに保存する機能をもっている。さらに、映像記録装置３と表示機４側とは、前述した表示用ケーブル１０で接続されている。
【００１８】
また、携帯端末５は、図３に示すように構成されている。すなわち、各種の処理指示を出すために操作する操作部である操作スイッチ５１と、この操作スイッチ５１の操作による処理指示に基づいて当該携帯端末５の動作を制御するCPUで構成された演算処理部５２と、前記防犯カメラ２側の映像送受信部７に対する映像情報・制御情報・表示情報等のインタフェースとなる送信・受信部５３と、演算処理部５２で演算処理された映像情報を記憶する記憶部５４と、この記憶部５４に記憶される映像情報や映像記録装置３の動作条件情報等を表示部５５に表示する表示制御部５６と、画像メモリ５７と、携帯端末５自体に着脱自在に装填され、記憶部５４に記憶されている映像情報を取り込んで記憶する他、予め格納されている表示情報ファイルを提供する記憶媒体である保存メモリカード５８とが設けられている。ここで、表示情報ファイルを提供するとは、表示機４に表示させるための表示情報を前記防犯カメラ２側映像送受信部７を介して映像記録装置３に転送することをいう。なお、前記送信受信部５３と防犯カメラ２側の映像送受信部７は例えば赤外線を用いた無線伝送が使用されるが、特に伝送形態は問わない。例えば有線による伝送であってもよい。有線による場合には、防犯カメラ２または、表示機４側に通信ケーブル８の延長接続口を設け、通信ケーブル８をかご１内に引き出して携帯端末５の送受信部５３と接続する構成であればよい。
【００１９】
また、識別情報は、映像記録装置３の固有の製造番号、エレベータかごが持つ固有の号機番号、及びエレベータ物件が持つ建物固有の物件番号等を用いるようにしてもよい。また、記映像記録装置３と携帯端末５との通信の際に、携帯端末５の固有の識別情報を通信履歴として、映像記録装置３の記憶装置３２に記録するようにしてもよい。さらに、映像記録装置３と携帯端末５との通信の際に行った命令コマンドと日付情報を、携帯端末５の固有の識別情報（例えば、携帯端末の製造番号）と合わせて通信履歴として、映像記録装置３に記録するようにしてもよい。
【００２０】
識別情報保存領域５ｅに記憶されている識別情報は、例えば図４〜図６に示すようなリスト情報となっている。例えば、３つの映像記録装置Ａ〜Ｃと、３つの携帯端末Ａ〜Ｃとが使用される場合に、携帯端末Ａが保持しているリスト情報は、図４に示すように、映像記録装置Ａのみを操作可能であるように設定、登録されている。また、携帯端末Ｂが保持しているリスト情報は、図５に示すように、映像記録装置Ａ及び映像記録装置Ｃを操作可能であるように設定、登録されている。また、携帯端末Ｃが保持しているリスト情報は、図６に示すように、映像記録装置Ａ及び映像記録装置Ｂを操作可能であるように設定、登録されている。
【００２１】
次に、本発明に係る携帯端末を適用した防犯情報管理システムの使用開始動作について図７のフローチャートを用いて説明する。
【００２２】
ステップＳ１で、携帯端末５に映像記録装置３の識別情報等が設定される。複数台の携帯端末５及び映像記録装置３を併用する場合は、前述した図４〜図６のような設定を行う。この際、映像記録装置３の（固有）識別情報は、例えば製造番号等を使用し、工場出荷時に予め映像記録装置３に記憶しておく。また、携帯端末５側へ映像記録装置３の製造番号を登録する際は、かご上設置時に製品銘板の記載内容を、予め控えておくか、製品保証書などにより確認する方法があるが、いずれの場合も顧客の判別により、取り扱いには注意する。かご上には保守員以外は進入できず、また、保証書は顧客自身が保管しており、防犯映像を確認する関係者にとっては容易に製造番号を確認可能であるが、部外者にとっては確認が困難である。
【００２３】
以上の状態で、エレベータの保守員等は、例えばエレベータの保守点検時、当該エレベータに設置されている映像記録装置３に対応する携帯端末５を携行し、保守点検するエレベータが設置されている現場に出向き、エレベータ管理人等の顧客と相談の上、保守員自ら携帯端末５を使用する。また、顧客に携帯端末５を提供し、使用してもらうことも可能である。保守員が顧客エレベータの防犯映像を確認したり、または表示機４に映像記録装置３に記憶されている各種連絡事項等が記載されている掲示板情報を表示しようとする場合、或いは顧客が携帯端末５を操作する場合には、ステップＳ２で、映像記録装置３を操作する登録された正規の携帯端末５であるかを判別するために、識別情報を用いたセキュリティチェックを実施する。
【００２４】
保守員が携帯端末５を操作する場合には、ステップＳ３で、携帯端末５の通信相手となる映像記録装置３の識別（ＩＤ）情報を入力し、前記防犯カメラ２側の映像送受信部７に赤外線伝送し、映像記録装置３に送信する。映像記録装置３は、ステップＳ４で、映像送受信部７から受け取った識別情報と予め登録されている識別情報とを照合し、正当な権限を有する者と判別された場合に限り、携帯端末５に対して使用許可を与えるセキュリティ対策をとっている。
【００２５】
以下、具体的に携帯端末５の動作について図８を参照して説明する。通信開始について保守員が操作スイッチ５１の中の所要とする操作スイッチを選択押圧操作すると、携帯端末５の演算制御部５２は、ステップＳ１０で、記憶部５４に記憶してある通信相手の識別情報リストを、映像送受信部７に向けて赤外線伝送により送信する。この識別情報リストは、あらかじめ、操作スイッチ５１の押圧操作により入力し、記憶部５４に記憶したものであり、所定の台数分まで複数登録が可能である。また、この際、前述した様に、携帯端末５自身の（固有）識別情報も同時に送信する。これらの信号は制御用ケーブル８ｂを通って映像記録装置３に送られる。ここで、映像記録装置３の処理制御部３１は、ステップＳ１１で、記憶装置３２の識別情報保存領域３２ｃに記憶してある自身の識別情報を取り出し、識別情報リストと照合する。ステップＳ１１で、映像記録装置３の処理制御部３１によって、識別情報リストに自身と同様の識別情報があると判別された場合は、ステップＳ１２で、通信許可を映像用ケーブル８ｂ及び映像送受信部７を経由し、携帯端末５に赤外線伝送する。これにより、以降の通信を許可する。一方、ステップＳ１１で、映像記録装置３の処理制御部３１によって、識別情報リストに自身と同様の識別情報がないと判別された場合は、ステップＳ１３で、携帯端末５にエラーを返し、通信禁止を前述と同様の方法により、携帯端末５に赤外線伝送し、以降の通信を禁止し、ステップＳ１４で、記録装置３２にエラー（識別情報の照合の不一致）として記録する（後述する通信履歴として記録）。
【００２６】
また、通信許可の可否にかかわらず、携帯端末５自身の（固有）識別情報は、日付情報及び通信時の命令コマンド等と一緒に映像記録装置３の記憶装置３２に記憶される（ステップＳ１５）。これらは通信履歴として残され、後に、所定の操作スイッチ押圧操作により、閲覧する事が出来る。
【００２７】
次に、本発明に係る携帯端末を適用した防犯情報管理システムにおける映像情報の取り出し表示処理について図９のフローチャートを用いて説明する。
【００２８】
携帯端末５の操作スイッチ５１の所要とする表示指示用操作スイッチが選択押圧操作されると、ステップＳ２０で、携帯端末５の演算制御部５２は、映像要求であると判別し、送信受信部５３から防犯カメラ２側の映像送受信部７に向けて赤外線伝送により日時を含む、或いは含まない映像要求信号を送信する。この映像要求信号は制御用ケーブル８ｂを通って映像記録装置３に送られる。
【００２９】
映像要求信号を受信した映像記録装置３は、ステップＳ２１で、記憶装置３２の映像保存領域３２ａから信号に基づいた映像情報を取り出し、映像用ケーブル８a及び映像送受信部７を経由し、携帯端末５に赤外線伝送する。つまり、映像情報の伝送動作が開始する。携帯端末５は、ステップＳ２２で、伝送されてくる映像情報を送信受信部５３で受信し、画像メモリ５７に順次記憶していく。
【００３０】
ステップＳ２３で、携帯端末５の演算制御部５２は、携帯端末５の操作スイッチ５１の所要とする表示指示用操作スイッチに対する２回目の押圧（表示指示）操作が行われると、映像情報の表示であると判別し、ステップＳ２４で、画像メモリ５７から記憶順序に従って映像情報を読み出し、表示制御部５６を介して表示部５５に表示する。ステップＳ２５で、携帯端末５の演算制御部５２は、表示指示用操作スイッチの３回目の押圧（停止操作）操作が行われると、演算制御部５２は、表示動作停止であると判別し、ステップＳ２６で表示動作を停止する。
【００３１】
次に、本発明に係る携帯端末を適用した防犯情報管理システムにおける映像情報の記憶処理について図１０のフローチャートを用いて説明する。
【００３２】
携帯端末５の操作スイッチ５１の所要とする記憶指示用操作スイッチが選択押圧操作されると、携帯端末５の演算処理部５２は、ステップＳ３０で、画像メモリ５７に記憶され、或いは表示部５５に表示された映像情報の記憶指示であると判別し、当該映像情報を例えば保存メモリカード５８に書き込み可能な形式等に変換するか、或いは要求内容に応じた処理を実行し、記憶部５４に記憶する。引き続き、記憶指示用操作スイッチに対する２回目の押圧（メモリカードへの書き込み指示）操作を行うと、演算処理部５２は、保存メモリカード５８への書き込みと判別し、記憶部５４から映像情報を読み出し、保存メモリカード５８に順次書き込む。さらに、記憶指示用操作スイッチに対する３回目の押圧（メモリカードへの書き込み停止）操作を行うと、記憶部５４からの映像情報の読出し及び保存メモリカード５８への書き込みを停止する。
【００３３】
次に、本発明に係る携帯端末を適用した防犯情報管理システムにおける保存メモリカードの表示情報ファイルの表示機への表示処理について図１１のフローチャートを用いて説明する。
【００３４】
携帯端末５の操作スイッチ５１の所要とする表示指示用操作スイッチが操作されると、携帯端末５の演算処理部５２は、ステップＳ４０で、保存メモリカード５８に保存されている、例えば掲示板情報等の表示情報ファイルの表示機４への表示と判別し、保存メモリカード５８から表示情報ファイルを読み出し送信受信部５３から赤外線伝送により防犯カメラ２側の映像送受信部７に送信する。
【００３５】
映像送受信部７は、受信した表示情報ファイルデータを映像用ケーブル８ｂを通して映像記録装置３に送信する。映像記録装置３は、ステップＳ４１で、映像用ケーブル８ｂから送られてくる表示情報ファイルデータを記憶装置３２の表示用記録領域３２ｂに記録する。映像記録装置３は、ステップＳ４２で、表示機４のオン動作確認と常時又は所定周期ごとに表示するなどの動作条件とに基づき、或いは表示機４からの表示要求に基づき、映像情報を表示するかを判別する。ステップＳ４２で、映像情報を表示すると判別されると、映像記録装置３は、ステップＳ４３で、撮影映像保存領域３２aに保存される映像情報を読み出し、表示用ケーブル１０（図１参照）を通して表示機４に表示する。なお、例えば撮影映像保存領域３２aに保存される映像情報と表示用記録領域３２ｂに記録される表示情報とを同時に表示する場合、表示機４の画面サイズに応じて２分割し、表示機４の同一画面に同時に表示可能に加工し、表示することも可能である。
【００３６】
次に、本発明に係る携帯端末を適用した防犯情報管理システムにおける映像記録装置の動作条件情報の読出し表示及び変更処理について図１２のフローチャートを用いて説明する。
【００３７】
携帯端末５の操作スイッチ５１の中の所要とする動作条件設定用操作スイッチが選択操作されると、携帯端末５の演算処理部５２は、ステップＳ５０で、動作条件情報読出しと判別し、送信受信部５３から防犯カメラ２側の映像送受信部７に向けて赤外線伝送により動作条件要求信号を送信する。この動作条件要求信号は、制御用ケーブル８ｂを通って映像記録装置３２に送られる。ここで、映像記録装置３２は、ステップＳ５１で、受信した動作条件要求信号に基づいて動作条件に係るデータを記憶装置３２から取り出し、制御用ケーブル８ｂ及び映像送受信部７を経由し、携帯端末５に赤外線伝送する。携帯端末５は、ステップＳ５２で、伝送されてくる動作条件に係るデータを送信受信部５３で受信し、一旦画像メモリ５７に記憶した後、表示部５５に表示する。これによって保守員は、表示部５５に表示される動作条件に係るデータを確認し、必要に応じて変更が必要であると判別したとき、操作スイッチ５１又はマウスなどを用いて条件変更を行う。
【００３８】
しかる後、ステップＳ５３で、携帯端末５の動作条件設定用操作スイッチに対する２回目の（条件変更入力指示）操作が行われと、演算制御部５２は条件変更入力と判別し、ステップＳ５４で、送信受信部５３から防犯カメラ２側の映像送受信部７に向けて赤外線伝送により動作条件変更情報を送信する。この動作条件変更情報は制御用ケーブル８ｂを通って映像記録装置３２に送られる。
【００３９】
映像記録装置３２は、ステップＳ５５で、動作条件変更情報を受け取り、所要とする動作条件に係るデータを上書きし、動作条件を変更する。なお、動作条件に係るデータの確認後、変更必要なし或いは動作条件変更情報の設定後、所要の操作スイッチ等の操作により、動作条件の確認を終了する。
【００４０】
以上のような実施形態によれば、防犯カメラ、または表示機４など防犯カメラから離れた個所に送受信部７を設け、携帯端末５から当該送受信部７に向けて無線又は有線にて映像要求を行うと、送受信部７はその要求を映像記録装置３に送信する。そして、送受信部７は、映像記録装置３から送信されてくる映像情報を携帯端末５に送信し、表示部５５に表示するので、従来のようにかご上部に上がって映像情報を確認するといった煩雑さがなく、容易に映像情報を確認でき、また保守員以外の者でも容易に確認できる。また、携帯端末５には着脱自在に保存メモリカード５８が装填され、記憶指示用操作スイッチ５１の操作のもとに前記表示された映像情報を保存メモリカード５８に保存するので、保存メモリカード５８を他のパソコンや大型表示装置に装填し、映像情報を詳しく調べることが可能となり、防犯上の情報の精査に大きく貢献でき、保管管理も的確に行うことができる。
【００４１】
さらに、携帯端末５は、動作条件設定用操作スイッチの操作によって動作条件要求信号を第１の送受信部に向けて送信し、映像記録装置３から送受信部７を介して送信されてくる動作条件情報を受信し表示部５５に表示するので、保守員及び顧客を含めて比較的迅速に動作条件を確認でき、必要に応じて表示される動作条件情報を変更し、送受信部５３及び送受信部７を介して映像記録装置に設定するので、動作条件の変更も確実、かつ、迅速に実施できる。
【００４２】
また、携帯端末５は、表示指示用操作スイッチ５１の操作のもとにメモリカードに記憶される表示情報を送受信部７を介して映像記録装置３の表示用記録領域３２ｂに記憶することにより、映像記録装置３は、映像情報を含めて表示情報も表示機４に表示でき、このため、表示機４に掲示板情報を始め、メッセージ情報をきわめて容易に表示できる。さらに、送受信部７と前記携帯端末５の送受信部５３との通信手段として、赤外線伝送を用いることにより、情報通信が見通しのできる距離に制限されるので、漏洩の心配が無く、電波の人体への影響も少ない。また、携帯端末５を使用するに先立ち、識別情報を伝送し、映像記録装置３によるかご特有の識別情報との照合を必要とするので、セキュリティの徹底化を図ることができる。また、映像記録装置３に記憶された通信履歴を確認することにより、いつ、どの携帯端末からどのような命令コマンドを受け取ったのかが、一目瞭然であり、セキュリティの向上だけでなく、設定を誤って変更してしまった場合の、原因を発見する事が出来る。
【００４３】
なお、各実施の形態は可能な限り組み合わせて実施することが可能であり、その場合には組み合わせによる効果が得られる。さらに、上記各実施の形態には種々の上位,下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００４４】
【図１】本発明の実施形態に係る防犯情報管理システムの構成を示す模式図。
【図２】本実施形態の実施形態に係る映像記録装置の構成を示すブロック図。
【図３】本実施形態の実施形態に係る携帯端末の構成を示すブロック図。
【図４】本発明の実施形態に係る映像記録装置の識別情報保存領域に記憶されている識別情報リストを示した模式図。
【図５】本発明の実施形態に係る映像記録装置の識別情報保存領域に記憶されている識別情報リストを示した模式図。
【図６】本発明の実施形態に係る映像記録装置の識別情報保存領域に記憶されている識別情報リストを示した模式図。
【図７】本発明の実施形態に係る携帯端末を適用した防犯情報管理システムの使用開始動作について示したフローチャート。
【図８】本発明の実施形態に係る携帯端末の動作について示したフローチャート。
【図９】本発明の実施形態に係るを適用した防犯情報管理システムにおける映像情報の取り出し表示処理について示したフローチャート。
【図１０】本発明の実施形態に係るを適用した防犯情報管理システムにおける映像情報の記憶処理について示したフローチャート。
【図１１】本発明の実施形態に係るを適用した防犯情報管理システムにおける保存メモリカードの表示情報ファイルの表示機への表示処理について示したフローチャート。
【図１２】本発明の実施形態に係るを適用した防犯情報管理システムにおける映像記録装置の動作条件情報の読出し表示及び変更処理について示したフローチャート。
【符号の説明】
【００４５】
２…防犯カメラ、３…映像記録装置、４…表示機、５…携帯端末、７…映像送受信部、８…通信ケーブル、９…撮影用ケーブル、１０…表示用ケーブル、３０…電源部、３１…処理制御部、３１ａ…計時手段、３２…記憶装置、
【図１】
2005216069.tif 000003
【図２】
2005216069.tif 000004
【図３】
2005216069.tif 000005
【図４】
2005216069.tif 000006
【図５】
2005216069.tif 000007
【図６】
2005216069.tif 000008
【図７】
2005216069.tif 000009
【図８】
2005216069.tif 000010
【図９】
2005216069.tif 000011
【図１０】
2005216069.tif 000012
【図１１】
2005216069.tif 000013
【図１２】
2005216069.tif 000014